(57)【要約】【課題】本体の下向きの耐荷重性を向上して、耐久性を向上する。【解決手段】抽出室を形成する基体５０を前方に張り出す状態で上部に有する本体１と、抽出室の上方側開口部を開閉自在な蓋体５と、本体１の内部に形成された収納空間１１内に設けられて、液体を加熱し且つ加圧して抽出室内に供給する加熱送液部とを備えた飲料抽出機であって、上下及び左右方向に沿う縦壁部７１、縦壁部７１の上端部から前方に延びる張り出し部７２、及び、縦壁部７１の下端部から後方に延びる支持体底部７３を一体的に備えた金属製の支持体７０が、支持体底部７３が収納空間１１を形成する収納空間形成部材１０の底部上に固定された状態で、収納空間１１内に設けられ、基体５０が、支持体７０の張り出し部７２に支持されている。【選択図】図１２
2014050470.tif 000002
【特許請求の範囲】
【請求項１】
抽出室を形成する基体を前方に張り出す状態で上部に有する本体と、
前記抽出室の上方側開口部を開閉自在な蓋体と、
前記本体の内部に形成された収納空間内に設けられて、液体を加熱し且つ加圧して前記抽出室内に供給する加熱送液部とを備えた飲料抽出機であって、
上下及び左右方向に沿う縦壁部、当該縦壁部の上端部から前方に延びる張り出し部、及び、当該縦壁部の下端部から後方に延びる支持体底部を一体的に備えた金属製の支持体が、前記支持体底部が前記収納空間を形成する収納空間形成部材の底部上に固定された状態で、前記収納空間内に設けられ、
前記基体が、前記支持体の前記張り出し部に支持されている飲料抽出機。
【請求項２】
前記縦壁部から前方に突出する前向き突出部が、少なくとも前記縦壁部の下部に形成され、
前記前向き突出部を受けることが可能な受け部が、前記収納空間内に設けられ、
前記支持体が、前記前向き突出部が前記受け部に受けられた形態で、前記収納空間内に設けられている請求項１に記載の飲料抽出機。
【請求項３】
前記支持体が、前記支持体底部の後端部から上方に延びる後方側縦部材を一体的に備え、
前記加熱送液部における液体を加熱する液体加熱部が、前記縦壁部と前記後方側縦部材とに支持された状態で、当該縦壁部と当該後方側縦部材との間に設けられている請求項１又は２に記載の飲料抽出機。
【請求項４】
前記本体の底部における前記支持体の前記縦壁部の鉛直下方に相当する箇所又は当該箇所の近傍に、滑り止め部材が取り付けられている請求項１〜３のいずれか１項に記載の飲料抽出機。
【請求項５】
前記支持体が、少なくとも前記張り出し部、前記縦壁部、前記支持体底部にわたって延びる溝状補強部を備える請求項１〜４のいずれか１項に記載の飲料抽出機。
【請求項６】
前記収納空間形成部材における前記収納空間の側方を囲う側壁部の上端部が、前記支持体の前記張り出し部に支持されている請求項１〜５のいずれか１項に記載の飲料抽出機。
【請求項７】
前記基体に、下方に椀状に窪んで前記抽出室を形成する窪み部が設けられ、
前記張り出し部が、前記縦壁部の上端部に、左右方向に振り分けて一対備えられ、
前記基体における前記窪み部の左右両外側部分の下部が、前記一対の張り出し部に支持されている請求項１〜６のいずれか１項に記載の飲料抽出機。
【発明の詳細な説明】
【技術分野】
【０００１】
本発明は、抽出室を形成する基体を前方に張り出す状態で上部に有する本体と、抽出室の上方側開口部を開閉自在な蓋体と、本体の内部に形成された収納空間内に設けられて、液体を加熱し且つ加圧して抽出室内に供給する加熱送液部とを備えた飲料抽出機に関する。
【背景技術】
【０００２】
かかる飲料抽出機は、コーヒー、紅茶等の飲料を抽出するものであり、液体を加熱すると共に加圧して被抽出材料を装入した抽出室に供給するので、被抽出材料に含まれる成分を引き出し易く、香りや味覚に優れた高品質の飲料を抽出することができる。ちなみに、コーヒーとしては、例えば、プレーンコーヒー、エスプレッソコーヒー等、種々のコーヒーを抽出することができる。
【０００３】
このような飲料抽出機では、従来、基体は、本体内に収納空間を形成する収納空間形成部材の上端部から張り出す形態で、収納空間形成部材の上端部に支持されていた（例えば、特許文献１参照。）。
【先行技術文献】
【特許文献】
【０００４】
【特許文献１】特開２００９−１４２６６８号公報
【発明の概要】
【発明が解決しようとする課題】
【０００５】
ところで、このような飲料抽出機では、例えば、使用者等が抽出室の上方側開口部を蓋体にて閉じる操作をするとき等に、蓋体を下向きに押すので、収納空間形成部材の上端に張り出す形態で支持されている基体や収納空間形成部材の上部等である本体の上部に対して、下向きの荷重が繰り返し印加されることになる。一方、本体を形成する収納空間形成部材は、通常、合成樹脂の成形加工により形成される。
従来の飲料抽出機では、本体の上部に対して繰り返し印加される下向きの荷重は、合成樹脂製の収納空間形成部材だけで支えるので、本体の下向きの耐荷重性を向上して、飲料抽出機の耐久性を向上する上で改善の余地があった。
【０００６】
本発明は、かかる実情に鑑みてなされたものであり、その目的は、本体の下向きの耐荷重性を向上して、耐久性を向上し得る飲料抽出機を提供することにある。
【課題を解決するための手段】
【０００７】
上記目的を達成するための本発明に係る飲料抽出機は、抽出室を形成する基体を前方に張り出す状態で上部に有する本体と、前記抽出室の上方側開口部を開閉自在な蓋体と、前記本体の内部に形成された収納空間内に設けられて、液体を加熱し且つ加圧して前記抽出室内に供給する加熱送液部とを備えた飲料抽出機であって、その特徴構成は、
上下及び左右方向に沿う縦壁部、当該縦壁部の上端部から前方に延びる張り出し部、及び、当該縦壁部の下端部から後方に延びる支持体底部を一体的に備えた金属製の支持体が、前記支持体底部が前記収納空間を形成する収納空間形成部材の底部上に固定された状態で、前記収納空間内に設けられ、
前記基体が、前記支持体の前記張り出し部に支持されている点にある。
【０００８】
上記特徴構成によれば、本体の上部に対して印加される下向きの荷重は、金属製の支持体の縦壁部及び張り出し部を介して収納空間形成部材にかかることになり、左右方向に延びる縦壁部により、荷重を左右方向の広範囲で支えることができると共に、張り出し部により、本体の上部から前方に突出している基体の突出部分にかかる荷重を支えることができるので、基体の突出部分の下向きの耐荷重も含めて、本体の下向きの耐荷重を効果的に補強することができる。
従って、本体の下向きの耐荷重性を向上して、耐久性を向上し得る飲料抽出機を提供することができる。
【０００９】
本発明に係る飲料抽出機の更なる特徴構成は、前記縦壁部から前方に突出する前向き突出部が、少なくとも前記縦壁部の下部に形成され、
前記前向き突出部を受けることが可能な受け部が、前記収納空間内に設けられ、
前記支持体が、前記前向き突出部が前記受け部に受けられた形態で、前記収納空間内に設けられている点にある。
【００１０】
上記特徴構成によれば、支持体の縦壁部の前向き突出部が、収納空間内に設けられた受け部に受けられているので、基体の突出部分に下向きの荷重が印加されても、支持体の縦壁部の前傾を防止することができ、下向きの耐荷重を一層補強することができる。
従って、本体の下向きの耐荷重性を一層向上して、飲料抽出機の耐久性を一層向上することができる。
【００１１】
本発明に係る飲料抽出機の更なる特徴構成は、前記支持体が、前記支持体底部の後端部から上方に延びる後方側縦部材を一体的に備え、
前記加熱送液部における液体を加熱する液体加熱部が、前記縦壁部と前記後方側縦部材とに支持された状態で、当該縦壁部と当該後方側縦部材との間に設けられている点にある。
【００１２】
上記特徴構成によれば、基体の突出部分に、下向きの荷重が印加されても、縦壁部と後方側縦部材とに支持された液体加熱部が梁的な役割を果たし、しかも、液体加熱部は重量が比較的重いので、縦壁部の前傾を効果的に防止することができ、下向きの耐荷重を更に補強することができる。
従って、本体の下向きの耐荷重性を更に向上して、飲料抽出機の耐久性を更に向上することができる。
【００１３】
本発明に係る飲料抽出機の更なる特徴構成は、前記本体の底部における前記支持体の前記縦壁部の鉛直下方に相当する箇所又は当該箇所の近傍に、滑り止め部材が取り付けられている点にある。
【００１４】
通常、飲料抽出機はテーブル等の台上に載置されて使用されることになるが、台上に載置された飲料抽出機の本体の上部及び基体の突出部分に下向きの荷重が印加されると、印加された荷重の一部は、支持体の縦壁部により本体の底部における支持体の縦壁部の鉛直下方に伝わる。
上記特徴構成によれば、支持体の縦壁部の鉛直下方に相当する箇所又は当該箇所の近傍には、滑り止め部材が取り付けられているので、台上に載置された飲料抽出機の上部に下向きの荷重が印加されたときに、当該荷重を確実に受け止めることができ、本体の変形を防止しつつ、飲料抽出機が台上を滑るのを抑制することができる。
従って、本体の変形を防止して飲料抽出機の耐久性を向上できることに加えて、飲料抽出機を台上に載置して使用するときの滑り止めを、一層向上することができる。
【００１５】
本発明に係る飲料抽出機の更なる特徴構成は、前記支持体が、少なくとも前記張り出し部、前記縦壁部、前記支持体底部にわたって延びる溝状補強部を備える点にある。
【００１６】
上記特徴構成によれば、少なくとも張り出し部、縦壁部、支持体底部にわたって延びる溝状補強部により、支持体の重量の増加を防止しながらも、支持体の強度を強くすることができる。つまり、溝状補強部のうち、張り出し部、縦壁部、支持体底部夫々を通る部分により、張り出し部、縦壁部、支持体底部夫々の耐撓み性が強くなり、溝状補強部のうち、支持体底部と縦壁部とにわたってそれらの角部を通って延びる部分により、支持体底部と縦壁部との角部での縦壁部の前傾に対する耐性が強くなり、溝状補強部のうち、縦壁部と張り出し部とにわたってそれらの角部を通って延びる部分により、縦壁部と張り出し部との角部での張り出し部の下向きの撓みに対する耐性が強くなる。
従って、飲料抽出機の重量の増加を防止しながら、本体の下向きの耐荷重性を更に向上して、飲料抽出機の耐久性を更に向上することができる。
【００１７】
本発明に係る飲料抽出機の更なる特徴構成は、前記収納空間形成部材における前記収納空間の側方を囲う側壁部の上端部が、前記支持体の前記張り出し部に支持されている点にある。
【００１８】
上記特徴構成によれば、収納空間形成部材における収納空間の側方を囲う側壁部の上端部が、支持体の張り出し部に支持されているので、本体の上部から側壁部にかかる下向きの荷重を支持体の張り出し部で受けることができる。
従って、収納空間形成部材における側壁部の撓みを一層抑制することにより、飲料抽出機の耐久性を更に向上することができる。
【００１９】
本発明に係る飲料抽出機の更なる特徴構成は、前記基体に、下方に椀状に窪んで前記抽出室を形成する窪み部が設けられ、
前記張り出し部が、前記縦壁部の上端部に、左右方向に振り分けて一対備えられ、
前記基体における前記窪み部の左右両外側部分の下部が、前記一対の張り出し部に支持されている点にある。
【００２０】
即ち、飲料抽出機を使用するときには、基体の窪み部にて形成される抽出室に高温高圧の液体が供給されることになるが、上記特徴構成によれば、一対の張り出し部により、基体における窪み部の左右両外側部分の下部が支持されているので、抽出室に高温高圧の液体が供給されたときの熱膨張による基体の撓みを抑制することができる。
従って、熱膨張による基体の撓みを一層抑制することにより、飲料抽出機の耐久性を更に向上することができる。
【図面の簡単な説明】
【００２１】
【図１】コーヒーメーカの斜視図
【図２】蓋体が開放状態のコーヒーメーカの斜視図
【図３】蓋体が開放状態でポッドホルダを取り外した状態でのコーヒーメーカの斜視図
【図４】左右方向の中央でのコーヒーメーカの縦断左側面図
【図５】蓋ロック機構の作用を説明する図
【図６】蓋体を備えた抽出部周辺の縦断左側面図
【図７】支持体の組み付け構成を説明するコーヒーメーカの分解斜視図
【図８】左右方向の左側に寄った位置でのコーヒーメーカの縦断左側面図
【図９】コーヒーメーカの横断平面図
【図１０】支持体の斜視図
【図１１】前方側囲い部材への支持体の組み付け構成を説明する分解斜視図
【図１２】前方側囲い部材を省略した状態でのコーヒーメーカの斜視図
【発明を実施するための形態】
【００２２】
以下、図面に基づいて、本発明を飲料抽出機の一例としてのコーヒーメーカに適用した場合の実施形態を説明する。
図１〜図４に示すように、コーヒーメーカは、装置本体１（本体の一例）と、この装置本体１に着脱自在な水（液体の一例）貯留用のタンク８とを備えて構成されている。図２〜図４に示すように、装置本体１には、コーヒー粉（被抽出材料の一例）Ｑを装入する抽出室３を形成する抽出部基体５０（基体の一例）及び抽出室３の上方側開口部４を開閉自在な蓋体５を備えた抽出部２、水を加熱し且つ加圧して送液路６を通して抽出室３に供給する加熱送液部７、及び、上方側開口部４を閉鎖する閉鎖位置（図１及び図４参照）に蓋体５を保持するロック状態（図５（ａ）参照）と当該ロック状態を解除する解除状態（図５（ｂ）参照）とに切り換えることができる蓋ロック機構Ｌ（図５参照）等が組み付けられている。
【００２３】
この実施形態のコーヒーメーカは、図２に示すように、コーヒー豆を挽いたコーヒー粉Ｑが袋状のフィルターペーパ内に封入された所謂カフェポッドＭを、抽出部２に装入する構成となっている。ちなみに、カフェポッドＭには、例えばコーヒーカップ一杯分のコーヒーを抽出するのに必要な量のコーヒー粉Ｑが封入されている。
又、詳細は後述するが、この実施形態では、図２及び図３に示すように、カフェポッドＭを載置するポッドホルダＨが、上方側開口部４を介して抽出部２内に着脱自在に装着されるように構成されている。
【００２４】
図１〜図４に示すように、装置本体１は、抽出部２を前方に張り出す状態で上部に備え、抽出部２に上下方向で対向する状態で前方下部から前方に突出する容器載せ台９を備え、後方にタンク８を装着できる凹部を備えた形状に、外郭が外郭部材１０（収納空間形成部材の一例）にて覆われて構成され、外郭部材１０の内部に収納空間１１（図４及び図８参照）が形成されている。
詳細は後述するが、図２〜図４に示すように、抽出部２には、注ぎ口３３を備えた注ぎ口部材３０が挿脱自在に装着できるように構成されている。
そして、カフェポッドＭを抽出部２に装入して、蓋体５を閉鎖位置に位置させた状態で蓋ロック機構Ｌをロック状態に切り換えて加熱送液部７を作動させると、抽出部２に湯が加圧供給されてコーヒーが抽出され、容器載せ台９に載置したコーヒーカップ（図示省略）に注ぎ口部材３０の注ぎ口３３からコーヒーが注がれる。
尚、以下の説明では、コーヒーメーカを水平な台上に載置した状態で、抽出部２が張り出す方向を前方として、各方向を定義する。即ち、抽出部２の張り出し方向とは反対方向を後方と定義し、前面視で左右方向を定義する。
【００２５】
次に、コーヒーメーカの各部について、詳細に説明する。
図４に示すように、加熱送液部７は、タンク８内の水を送出するポンプ１２と、そのポンプ１２により送出される水を一時貯留して加熱する湯沸し部（液体加熱部の一例）１３とを備えて構成されている。
湯沸し部１３は、水を貯留可能な加熱容器１４内にシーズヒータからなる電気ヒータ１５を設けて構成され、加熱容器１４内の水を電気ヒータ１５により加熱する構成となっている。ちなみに、加熱容器１４の容量は、例えば、３５０ｃｃ程度である。
図示を省略するが、湯沸し部１３には、加熱容器１４内の湯水の温度を検出する湯温センサが備えられている。
タンク８は、装置本体１に設けられたタンク受け１６に倒立状態で装着され、タンク受け１６から水が送出されるのに伴って、タンク８の出口からタンク受け１６に水が流下する構成となっている。
【００２６】
図４に示すように、送液路６は、タンク受け１６と蓋体５の内蓋６３に設けられた円盤状の押圧部６４（図２及び図３参照、詳細は後述）とに接続された状態で、装置本体１内に引き回されて設けられている。送液路６には、上流側から下流側に向けて、送液路６を通流する水の流量を検出する容積式の流量センサ１７、ポンプ１２、一次側（ポンプ１２からの流入側）の圧力を所定の設定供給圧力以下に維持するように構成された逃がし弁１８、湯沸し部１３、一次側（湯沸し部１３からの流入側）の圧力が所定の設定吐出圧力以上になると開弁するように構成された圧力弁１９が配設されている。ちなみに、この圧力弁１９の設定吐出圧力は、１００℃よりも高い温度（例えば、１０６℃）の水の飽和蒸気圧に相当する圧力（例えば、プレーンコーヒーの抽出に好適な圧力である０．５〜４気圧（ゲージ圧）程度）に設定されている。
逃がし弁１８の還流口とタンク受け１６とが還流路２０にて接続されている。そして、逃がし弁１８に流入する水の圧力が設定供給圧力を越えると、流入した水の一部が還流路２０を通してタンク受け１６に戻されることにより、逃がし弁１８に流入する水の圧力が設定供給圧力以下に維持されるように構成されている。
【００２７】
図示を省略するが、このコーヒーメーカには、運転を制御する制御部が設けられ、更に、図１に示すように、制御部に運転制御情報を送信する操作部２５が、装置本体１の上面に設けられている。
【００２８】
次に、装置本体１の構成及びその補強構造について詳細に説明する。
図７に示すように、装置本体１は、外郭部材１０を台部９０上に組みつけて構成されている。外郭部材１０は、収納空間１１の上方の前方側部分を囲う抽出部基体５０、収納空間１１の前方及び下方を囲う前方側囲い部材１００、並びに、収納空間１１の左右両側方、後方及び上方の後方側部分を囲う後方側囲い部材８０を組み付けて構成されている。ちなみに、外郭部材１０を構成する抽出部基体５０、前方側囲い部材１００及び後方側囲い部材８０、並びに、台部９０は、合成樹脂の成型加工により形成される。
【００２９】
図７、図８及び図１１に示すように、前方側囲い部材１００は、収納空間１１の前方を囲う前壁部１１０と、その前壁部１１０の下端から後方に延びて、収納空間１１の下方を囲う収納空間底部１２０と、その前壁部１１０の上端から前方に張り出して抽出部２の下方を覆う下部覆い部１３０とを一体的に備えて構成されている。抽出部基体５０は、その前方側の部分が前方側囲い部材１００の下部覆い部１３０上に重なる形態で組み付けられている。つまり、装置本体１は、抽出室３を形成する抽出部基体５０を前方に張り出す状態で上部に有することになる。
【００３０】
図８に示すように、本発明では、上下及び左右方向に沿う壁状の前方側縦壁部（縦壁部の一例）７１、当該前方側縦壁部７１の上端部から前方に延びる張り出し部７２、及び、当該前方側縦壁部７２の下端部から後方に延びる支持体底部７３を一体的に備えた金属の支持体７０が、支持体底部７３が収納空間１１を形成する外郭部材１０の底部（即ち、前方側囲い部材１００の収納空間底部１２０）上に固定された状態で、収納空間１１内に設けられ、抽出部基体５０が、支持体７０の張り出し部７２に支持されている。尚、図８は、左右方向において支持体７０の張り出し部７２を通る位置での縦断左側面図である。
【００３１】
図７、図８、図１０及び図１１に示すように、この実施形態では、支持体７０が、支持体底部７３の後端部から上方に延びる後方側縦壁部（後方側縦部材の一例）７４を一体的に備えている。この後方側縦壁部７４は、前方側縦壁部７１に対向するように、上下及び左右方向に沿う壁状に構成されている。
前方側縦壁部７１は、前面視で、概ね矩形状に構成され、支持体底部７３は、平面視で、左右方向の幅が前方側縦壁部７１の左右方向の幅と略同幅の概ね矩形状に構成されている。
張り出し部７２は、前後方向に長く且つ板面が水平方向に沿う細長板状であり、この細長板状の張り出し部７２が、前方側縦壁部７１の上端部に、左右方向両端に振り分けて一対備えられている。
又、各張り出し部７２の基部には、左右方向の外方に突出する横向き突出部７２ｐが設けられている。
【００３２】
更に、図８〜図１１に示すように、前方側縦壁部７１から前方に向けて板状に突出する前向きリブ（前向き突出部の一例）７５が、前方側縦壁部７１に上下方向に延びる形態で備えられている。
この実施形態では、前向きリブ７５は、前方側縦壁部７１の下端よりもやや上方からその略上端にまで略鉛直に延びる形状であり、前方側縦壁部７１の左右両端に振り分けて一対備えられている。
【００３３】
図７〜図１１に示すように、支持体７０が、張り出し部７２、前方側縦壁部７１、支持体底部７３、後方側縦壁部７４にわたって一連に連なって延びる一連ビード（溝状補強部の一例）７６を備えている。支持体７０は、この一連ビード７６を、一対の張り出し部７２夫々を通る２本備えている。各一連ビード７６は、張り出し部７２を前後方向に沿って延び、前方側縦壁部７１を上下方向に沿って延び、支持体底部７３を前後方向に沿って延び、後方側縦壁部７４を上下方向に沿って延びて一連に連なる形態で形成されている。
又、支持体７０における一対の張り出し部７２の間に、前方側縦壁部７１、支持体底部７３、後方側縦壁部７４にわたって一連に連なって延びる副一連ビード７６ｓを２本備えている。
更に、図７、図１０及び図１１に示すように、支持体７０が、前方側縦壁部７１、支持体底部７３及び後方側縦壁部７４の夫々に、一連ビード７６及び副一連ビード７６ｓに直交する複数の横方向ビード７７を備えている。尚、支持体７０は、横方向ビード７７を、前方側縦壁部７１に形成された３本と支持体底部７３に形成された２本と後方側縦壁部７４に形成された３本とを合わせた８本を備えている。
【００３４】
図７、図９、図１０及び図１１に示すように、支持体７０の支持体底部７３における四方の角部夫々の近くには、支持体７０を収納空間底部１２０に固定する底側ビス２１（図１１参照）を挿通するための底側ビス挿通孔７８が形成され、又、図１０〜図１２に示すように、支持体７０の前方側縦壁部７１の四方の角部夫々の近くには、支持体７０を外郭部材１０の前壁部１１０に固定する前側ビス２２（図１１参照）を挿通するための前側ビス挿通孔７９が形成されている。
【００３５】
そして、支持体７０は、前方側縦壁部７１、一対の張り出し部７２、支持体底部７３、後方側縦壁部７４、一対の前向きリブ７５、２本の一連ビード７６、２本の副一連ビード７６ｓ及び８本の横方向ビード７７を上述の形態で備えた形状に、金属材を成形して一体的に構成されている。
【００３６】
図８、図９及び図１１に示すように、前方側囲い部材１００の前壁部１１０には、支持体７０の前方側縦壁部７１における各前側ビス挿通孔７９に夫々対応して、４個のネジ孔付ボス１１１が設けられている。
又、前方側囲い部材１００の前壁部１１０と収納空間底部１２０との角部には、収納空間１１内に設けられた支持体７０の各前向きリブ７５を受けることが可能なように収納空間１１内に突出する段部１１２が、各前向きリブ７５に夫々対応させて左右両側に振り分けて一対設けられている。各段部１１２は、概ね直方体形状の台状に形成されている。つまり、前方側囲い部材１００に設けられた一対の段部１１２が、前向きリブ７５を受けることが可能なように収納空間１１内に設けられる受け部に相当する。
更に、図７に示すように、前方側囲い部材１００の前壁部１１０の上端部の左右両側夫々には、抽出部基体５０及び後方側囲い部材８０を前方側囲い部材１００に組み付けるための連結ビス２４をねじ込むネジ孔１１３が形成されている。
【００３７】
そして、図７、図８及び図１１に示すように、支持体７０は、一対の張り出し部７２が前方側囲い部材１００の前壁部１１０の上方を越えて下部覆い部１３０の上方に張り出した状態で、前方側囲い部材１００に組み付けられる。
【００３８】
図１１に示すように、前方側囲い部材１００の収納空間底部１２０には、支持体７０の支持体底部７３における各底側ビス挿通孔７８に夫々対応して、４個のネジ孔１２１が形成されている。
又、図８に示すように、前方側囲い部材１００の収納空間底部１２０において、収納空間１１内に設けられた支持体７０の前方側縦壁部７１の下方付近に対応する箇所には、下向きに突出する一対の荷重受けボス１２２が、左右両側に振り分けて設けられている。
【００３９】
図８、図９及び図１１に示すように、台部９０は概略皿状に構成され、前方側囲い部材１００は、その前壁部１１０が皿状の台部９０の前端から後方に引っ込んで収納空間底部１２０にて台部９０の上部開口部の後方側の部分を覆う状態で、台部９０の上部に組み付けられている。
図１、図８及び図９に示すように、台部９０における前方側囲い部材１００の前壁部１１０よりも前方に突出している部分の上部開口部には、複数のスリットが形成された載せ板２３が着脱自在に装着されるように構成されて、その載せ板２３が容器載せ台９として構成されている。
又、図８に示すように、台部９０には、上方に突出する荷重受けリブ９１が、台部９０の上部に組み付けられた前方側囲い部材１００の収納空間底部１２０における一対の荷重受けボス１２２を受けることが可能なように設けられている。
【００４０】
図７に示すように、後方側囲い部材８０は、収納空間１１の左側方、右側方を夫々囲う一対の側壁部８１、及び、収納空間１１の後方を囲う後壁部８２とを一体的に備えて構成され、更に、各側壁部８１夫々の上端に、夫々、内方側に突出する載せ部８３が前後方向の水平方向に延びる形態で備えられている。
後方側囲い部材８０は、左右一対の載せ部８３夫々の前端部が、前方側囲い部材１００に組み付けられた支持体７０の一対の張り出し部７２夫々の横向き突出部７２ｐの上部に載置された形態で、前方側囲い部材１００に組み付けられる。つまり、外郭部材１０における収納空間１１の側方を囲う側壁部８１の上端部が、支持体７０の張り出し部７２（具体的には、横向き突出部７２ｐ）に支持されていることになる。従って、外郭部材１０の側壁部８１にかかる下向きの荷重を支持体７０の張り出し部７２（具体的には、横向き突出部７２ｐ）で受けることができるので、外郭部材１０における側壁部８１の撓みを抑制することができる。
そして、左右一対の載せ部８３夫々の前端部には、前方側囲い部材１００の前壁部１１０の上端部の各ネジ孔１１３に対応させて、ビス挿通孔８４が形成されている。
【００４１】
図７、図８及び図１２に示すように、抽出部基体５０は、前方側囲い部材１００の前壁部１１０の上端から前方へ突出させる部分を当該前方側囲い部材１００に組み付けられた支持体７０の左右一対の張り出し部７２上に載置し、且つ、後方側の部分の左右両側部を後方側囲い部材８０の左右一対の載せ部８３に載置した状態で、前方側囲い部材１００及び後方側囲い部材８０に組み付けられる。
そして、抽出部基体５０には、上述のように前方側囲い部材１００及び後方側囲い部材８０に組み付けられた状態で、後方側囲い部材８０の一対のビス挿通孔８４に対応するように、一対のビス挿通孔５９が形成されている。
【００４２】
次に、抽出部基体５０、前方側囲い部材１００、後方側囲い部材８０及び支持体７０を組み付ける手順について説明する。
図７、図８及び図１１に示すように、支持体７０を、各前向きリブ７５を前方側囲い部材１００の各段部１１２に載置し、且つ、一対の張り出し部７２を前方側囲い部材１００の前壁部１１０の上方を越えて下部覆い部１３０の上方に張り出させた状態で、前方側囲い部材１００に組み合わせる。そして、４本の底側ビス２１夫々を、各底側ビス挿通孔７８を通して前方側囲い部材１００の収納空間底部１２０の各ネジ孔１２１にねじ込み、並びに、４本の前側ビス２２夫々を、各前側ビス挿通孔７９を通して前方側囲い部材１００の前壁部１１０の各ネジ孔付ボス１１１にねじ込んで、支持体７０を前方側囲い部材１００に固定する。つまり、支持体７０が、一対の前向きリブ７５が一対の段部１１に受けられた形態で、収納空間１１内に設けられていることになる。
【００４３】
次いで、後方側囲い部材８０と、支持体７０を固定した前方側囲い部材１００とを、後方側囲い部材８０の左右一対の載せ部８３夫々の前端部を支持体７０の一対の張り出し部７２夫々の横向き突出部７２ｐの上部に載置した状態で組み合わせ、そのように組み合わせた後方側囲い部材８０と前方側囲い部材１００との上部に、抽出部基体５０を所定の位置で装着する。すると、抽出部基体５０の後方側の部分の左右両側部が後方側囲い部材８０の左右一対の載せ部８３に載置された状態になると共に、図１２にも示すように、抽出部基体５０における前方側囲い部材１００の前壁部１１０の上端から前方への突出部分が支持体７０の一対の張り出し部７２に載置された状態になる。又、抽出部基体５０の各ビス挿通孔５９、後方側囲い部材８０の各ビス挿通孔８４及び前方側囲い部材１００の各ネジ孔１１３が一連に連通する状態となる。
そして、一対の連結ビス２４（図７参照）夫々を、抽出部基体５０の各ビス挿通孔５９及び後方側囲い部材８０の各ビス挿通孔８４に挿通して、前方側囲い部材１００の各ネジ孔１１３にねじ込むと、抽出部基体５０、前方側囲い部材１００、後方側囲い部材８０及び支持体７０が組み付けられる。つまり、このように各部材が組み付けられた状態では、上述したように、抽出部基体５０が、支持体７０の張り出し部７２に支持されていることになる。
次いで、上述のように組み付けた抽出部基体５０、前方側囲い部材１００、後方側囲い部材８０及び支持体７０を、台部９０上に載置して台部９０の底部側から複数のビス（図示省略）をねじ込むことにより、台部９０上に固定する。
【００４４】
抽出部基体５０を支持体７０にて支持する構成について、更に説明を加える。
詳細は後述するが、図３、図４及び図６に示すように、抽出部基体５０には、下方に椀状に窪んで抽出室３を形成する窪み部５３が設けられている。図８及び図１２に示すように、抽出部基体５０の下面において、窪み部５３に対応する部分の外周側の部分は、概ね水平方向に沿う平坦面となっている。又、支持体７０の各張り出し部７２の上面において、一連ビード７６に対応する部分の外周側の部分も、概ね水平方向に沿う平坦面となっている。そして、抽出部基体５０の下面における窪み部５３に対応する部分の左右両外側の平坦面部分が、支持体７０の一対の張り出し部７２夫々の上面における一連ビード７６に対応する部分よりも内側の平坦面部分に当接した状態で、抽出部基体５０における前方側囲い部材１００の前壁部１１０の上端から前方への突出部分が支持体７０の一対の張り出し部７２に載置されることになる。
つまり、抽出部基体５０における窪み部５３の左右両外側部分の下部が、支持体７０の一対の張り出し部７２に支持されていることになる。
【００４５】
又、図９及び図１２に示すように、台部９０の裏面（即ち、装置本体１の底部に相当する）には、ゴム製の４個の滑り止め部材２７が、概略四角形の四隅に分散配置された状態で設けられている。図９及び図１２に加えて、図８にも示すように、４個の滑り止め部材２７のうちの前方側の２個は、台部９０の裏面において、支持体７０の前方側縦壁部７１の鉛直下方に相当する箇所の近傍に設けられている。つまり、滑り止め部材２７が、台部９０の裏面（即ち、装置本体１の底部）における支持体７０の前方側縦壁部７１の鉛直下方に相当する箇所の近傍に取り付けられていることになる。
【００４６】
図８に示すように、支持体７０の前方側縦壁部７１、前方側囲い部材１００の収納空間底部１２０の荷重受けボス１２２、及び、台部９０の荷重受けリブ９１は、力の伝動が可能な状態で上下方向に沿って並んでいるので、テーブル等の台上に載置された飲料抽出機の装置本体１の上部に下向きの荷重が印加されると、印加された荷重の一部は、前方側縦壁部７１、荷重受けボス１２２及び荷重受けリブ９１により、台部９０の裏面における荷重受けリブ９１の鉛直下方に相当する箇所に伝わることになる。
そして、台部９０の裏面における荷重受けリブ９１の鉛直下方に相当する箇所の付近に、滑り止め部材２７が取り付けられているので、テーブル等の台上に載置された飲料抽出機の上部に下向きの荷重が印加されたときに、当該荷重を確実に受け止めることができ、装置本体１の変形を防止しつつ、飲料抽出機が台上を滑るのを抑制することができる。
【００４７】
図４に示すように、ポンプ１２、湯沸し部１３及び流量センサ１７は、支持体７０の前方側縦壁部７１と後方側縦壁部７４の間に位置させた状態で、その支持体７０に支持されている。
図４に加えて、図８及び図９に示すように、特に、湯沸し部１３の側周部の前部及び後部には、接続部材２６が取り付けられ、湯沸し部１２は、前後部夫々の接続部材２６を介して、前方側縦壁部７１と後方側縦壁部７４とに架け渡し状で支持されている。つまり、湯沸し部１２が、前方側縦壁部７１と後方側縦壁部７４とに支持された状態で、当該前方側縦壁部７１と当該後方側縦壁部７４との間に設けられていることになる。
【００４８】
次に、抽出部２について説明する。
図３、図４及び図６に示すように、抽出部基体５０には、下方に椀状に窪むと共に、底部に貫通口５４を備えた窪み部５３が設けられ、更に、抽出部基体５０の上面における窪み部５３の窪み開口部５５の左右両側には、上方に突出すると共に前後方向に長い突条部５６が設けられ、その各突条部５６の前方向きの端面には、後方に向かって窪む後向き凹部５７が備えられている。
ポッドホルダＨは、図３及び図６に示すように、底部に外側筒状部４１を有する概略椀状のホルダ本体４０と、ホルダ本体４０の外側筒状部４１に内側筒状部４８ｐが内嵌された状態でホルダ本体４０内に嵌め込まれるポッド受部材４８とを備え、ホルダ本体４０の外側筒状部４１の先端部（外側筒状部４１に内嵌された内側筒状部４８ｐよりも下方側）には、抽出孔部材４７が嵌め込まれ、ポッド受部材４８の内側筒状部４８ｐには網状体４９が嵌め込まれている。
【００４９】
ホルダ本体４０は、抽出部基体５０の窪み部５３の窪み開口部５５を介して窪み部５３に落とし込み状態で装着することができ、外周部に全周にわたる鍔状部４３を備えた概略椀状に構成され、抽出孔部材４７には微小な抽出孔４７ｈ（図６では１箇所）が形成されている。
そして、図６に示すように、ホルダ本体４０、抽出孔部材４７、ポッド受部材４８及び網状体４９が上述のように組み付けられて構成されたポッドホルダＨが、抽出部基体５０の窪み部５３の窪み開口部５５を介して窪み部５３に装着され、カフェポッドＭは、ポッド受部材４８に載置された状態で、ポッドホルダＨに載置されることになる。つまり、抽出部基体５０の窪み部５３の内部が、ポッドホルダＨを収納する抽出部２の抽出室３に構成され、窪み部５３の窪み開口部５５が抽出部２の開口部４として機能するように構成されている。
【００５０】
又、図３に示すように、ホルダ本体４０の鍔状部４３の外周側には、径方向外方に突出する摘み部４４と位置決め用羽根部４５とが周方向にずらした状態で備えられている。ちなみに、抽出部基体５０の窪み部５３に装着するためのホルダ本体４０、即ち、ポッドホルダＨの適正な向きは、摘み部４４が前方側に向く姿勢である。
更に、抽出部基体５０の上面には、ポッドホルダＨを適正な向きで窪み部５３に装着するときに、ポッドホルダＨの摘み部４４及び位置決め用羽根部４５夫々が入り込む位置決め用凹部５８Ａ，５８Ｂが設けられている。
【００５１】
図２、図３及び図６に示すように、前方側囲い部材１００の下部覆い部１３０には、注ぎ口部材３０を挿脱するための挿脱口１３１が、前面から底面にわたって開く形態で形成されている。
図３及び図６に示すように、注ぎ口部材３０は、受入開口部３１を備えた概略箱状に構成され、その受入開口部３１の開口縁を水平方向に沿わせた姿勢で、挿脱口１３１を通して下部覆い部１３０内に挿入されて装着される。
注ぎ口部材３０の底面３２の先端側には、軸心方向の全長にわたって延びるスリットを備えた割れ筒状部３４が立設され、底面３２の基端側には、筒状の注ぎ口３３が設けられており、当該底面３２（割れ筒状部３４内の底面も含む）は、割れ筒状部３４側から注ぎ口３３側に向かうに連れて下方側に傾斜する前下がり傾斜面となるように形成されている。尚、割れ筒状部３４のスリットは、基端側、即ち、注ぎ口３３側に向かって開くように形成されている。
【００５２】
挿脱口１３１を通して注ぎ口部材３０を下部覆い部１３０内に装着し、ポッドホルダＨを適正な向きで窪み部５３に装着すると、図６に示すように、ホルダ本体４０の外側筒状部４１の先端が注ぎ口部材３０の割れ筒状部３４の上部に入り込む状態となる。そして、ポッドホルダＨに載置されたカフェポッドＭから抽出されたコーヒーは、抽出孔部材４７の微小な抽出孔４７ｈから注ぎ口部材３０の割れ筒状部３４内に噴出してその底面３２に衝突し、泡、所謂クレマが立つ。そのようにクレマが立ったコーヒーは、割れ筒状部３４のスリットを通過し、更に、注ぎ口部材３０の底面３２を流下して、注ぎ口３３から滴下し、コーヒーカップに注がれる。
つまり、抽出部２は、窪み部５３を備えた抽出部基体５０、前方側囲い部材１００の下部覆い部１３０及び注ぎ口部材３０等を備えて構成されることになる。
【００５３】
次に、蓋体５について説明する。
図５及び図６に示すように、蓋体５の後端には、軸体６０が軸心Ａ１を左右方向に沿わせて取り付けられ、又、抽出部基体５０の一対の突条部５６夫々の上面における後方には、軸支部６１が立設されている。そして、蓋体５が、その軸体６０が一対の軸支部６１に軸支された状態で設けられることにより、蓋体５が、抽出部２の上方側開口部４の外方に位置する左右方向の軸心Ａ１にて、抽出部２の上方側開口部４を閉鎖する閉鎖位置（図１、図５及び図６参照）とその閉鎖位置から最も離間した全開位置（図２及び図３参照）との間で揺動自在に設けられている。尚、図５は、蓋体５が閉鎖状態での抽出部２の斜視図において、蓋上板６２（詳細は後述）及び下部覆い部１３０を省略した図である。
【００５４】
図２〜図４に示すように、蓋体５は、その上方を覆う概略ドーム状の蓋上板６２の下方に各部材を組み付けて構成されている。
図２、図３及び図６に示すように、蓋体３における抽出部基体５０の上面に対向する部分には、蓋体３が閉鎖位置に位置したときに抽出部基体５０の窪み部５３に装着されたポッドホルダＨにおけるホルダ本体４０のホルダ開口部４２を閉鎖するように、内蓋６３が設けられている。その内蓋６３には、複数（この実施形態では５個）の湯口６４ｈを周方向に等間隔で備えた円盤状の押圧部６４が抽出部基体５０に対向するように設けられ、内蓋６３と押圧部６４とはビス（図示省略）により固定されている。尚、複数の湯口６４ｈ夫々は、押圧部６４を各湯口６４ｈに対応させて部分的に抽出部基体５０側に突出させた突起部に設けられ、図示を省略するが、押圧部６４における湯口６４ｈが夫々設けられた複数の突起部の内側には、湯口６４ｈが設けられていない突起部が設けられている。その内蓋６３における押圧部６４の背面側には、圧力弁１９（図６参照）がその吐出口（図示省略）を内蓋６３と押圧部６４との間の空間（図示省略）に接続した状態で設けられ、更に、内蓋６３の抽出部基体５０に対向する面における押圧部６４の外周部には、環状のシール部材６５が設けられている。
そして、図６に示すように、蓋体３を閉鎖位置に位置させると、押圧部６４の外周部のシール部材６５により、内蓋６３とポッドホルダＨにおけるホルダ本体４０のホルダ開口部４２との間及び押圧部６４とホルダ開口部４２との間が封止される状態で、蓋体３により抽出部２の上方開口部４が閉鎖される。
そして、圧力弁１９から湯が噴出されると、噴出された湯は、押圧部６４の湯口６４ｈから抽出室３内のカフェポッドＭに噴出される。
【００５５】
図４に示すように、送液路５において湯沸し部１３と圧力弁１９とを接続する流路部分は、可撓性を有する耐熱性の送液チューブ６６により構成され、送液チューブ６６が、蓋体３の揺動を許容するように、弛みを持たせて湯沸し部１３と圧力弁１９とに接続されている。
【００５６】
次に、蓋ロック機構Ｌについて説明する。
図４〜図６に示すように、蓋体５の内部空間には、スライド部材６７が、蓋体５が閉鎖位置に位置する状態のときに、抽出部２の上方側開口部４に対向する（即ち、抽出部基体５０の上面に略平行となる）面に沿い且つ蓋体５の揺動軸心Ａ１に直交する方向（即ち、蓋体５の前後方向）に往復移動自在に設けられている。
図５に示すように、スライド部材６７には、蓋体５が閉鎖位置に位置する状態でのスライド部材６７の往復移動に伴って、抽出部基体５０の一対の突条部５６夫々の後向き凹部５７に係合、離脱する一対の左右方向に突起する横向き突起部６７ｐ、及び、スライド部材６７をスライド操作するための開閉操作レバー６８を連結する一対の連結孔６７ｈが設けられている。
【００５７】
一対の横向き突起部６７ｐ及び一対の突条部５６は、以下のような相対位置関係で設けられている。即ち、蓋体５が閉鎖位置に位置する状態で、図５（ａ）に示すように、スライド部材２７が前後方向の往復移動範囲における後端の係合位置に位置するときに、各横向き突起部６７ｐが各突条部５６夫々の後向き凹部５７に入り込んで係合状態となり、且つ、図５（ｂ）に示すように、スライド部材６７が前後方向の往復移動範囲における前端の係合解除位置に位置するときに、各横向き突起部６７ｐが各突条部５６夫々の後向き凹部５７から離脱して非係合状態になる相対位置関係である。
【００５８】
図１及び図４に示すように、蓋上板６２には、開閉操作レバー６８を配置するための開口部が設けられ、図５にも示すように、開閉操作レバー６８は、蓋上板６２の開口部内に嵌め込まれた状態で、その後端部が左右方向の軸心Ａ２周りに揺動自在に蓋体５に設けられている。
図５に示すように、その開閉操作レバー６８には、一対のアーム部６８ａが左右方向に振り分けて備えられ、一対のアーム部６８ａの夫々の先端がスライド部材６７の一対の連結孔６７ｈ夫々に嵌まり込む状態で連結されている。
そして、開閉操作レバー６８とスライド部材６７とは、蓋体５が閉鎖位置に位置する状態において、図５（ａ）に示すように、開閉操作レバー６８が前方側に揺動して倒れ姿勢（開閉操作レバー６８の上面が蓋上板６２の上面と面一）になると、スライド部材６７が往復移動範囲後端の係合位置に位置し、図５（ｂ）に示すように、開閉操作レバー６８が後方側に揺動して立ち姿勢になると、スライド部材６７が往復移動範囲前端の係合解除位置に位置するように連結されている。
【００５９】
従って、蓋体５を閉鎖位置に位置させた状態で、開閉操作レバー６８を前向きの揺動により倒して倒れ姿勢とし、スライド部材６７を係合位置に位置させると、一対の横向き突起部６７ｐ夫々が一対の突条部５６の後向き凹部５７夫々に係合されて、蓋体５が閉鎖位置に保持され、蓋ロック機構Ｌがロック状態に切り換えられる。又、そのように蓋ロック機構Ｌがロック状態になっている状態で、開閉操作レバー６８を後ろ向きの揺動により起立させ立ち姿勢とし、スライド部材６７を係合解除位置に位置させると、一対の横向き突起部６７ｐ夫々が一対の突条部５６の後向き凹部５７夫々から離脱して、蓋体５が閉鎖位置に保持される状態が解除され、蓋ロック機構Ｌが解除状態に切り換えられる。
【００６０】
つまり、蓋ロック機構Ｌが、スライド部材６７、そのスライド部材６７を移動操作する開閉操作レバー６８、抽出部基体５０の一対の突条部５６夫々に夫々設けられた後向き凹部５７、及び、スライド部材６７に設けられた一対の横向き突起部６７ｐを備えて構成されていることになる。
【００６１】
本発明では、支持体７０により装置本体１を補強しているので、以下に説明するように、装置本体１の下向きの耐荷重性を向上して、飲料抽出機の耐久性を向上することができる。
即ち、このような飲料抽出機では、例えば、使用者等が抽出室３の上方側開口部４を蓋体５にて閉じる操作をするとき等に、蓋体５を下向きに押すので、装置本体１の上部に対して、下向きの荷重が繰り返し印加される。
このように装置本体１の上部に対して印加される下向きの荷重は、金属製の支持体７０の前方側縦壁部７１及び一対の張り出し部７２を介して外郭部材１０にかかることになり、左右方向に延びる前方側縦壁部７１により、荷重を左右方向の広範囲で支えることができると共に、一対の張り出し部７２により、装置本体１の上部から前方に突出している抽出部基体５０の突出部分にかかる荷重を支えることができる。
又、外郭部材１０における収納空間１１の側方を囲う一対の側壁部８１の上端部が、支持体７０の一対の張り出し部７２に支持されているので、装置本体１の上部から一対の側壁部８１にかかる下向きの荷重は、一対の側壁部８１と共に支持体７０の一対の張り出し部７２により支えることができる。
従って、抽出部基体５０の突出部分の下向きの耐荷重も含めて、装置本体１の下向きの耐荷重を効果的に補強することができる。
【００６２】
又、支持体７０の前向きリブ７５が外郭部材１０の段部１１２に受けられていること、湯沸し部１３が支持体７０の前方側縦壁部７１と後方側縦壁部７４とに架け渡し状で支持されていること、及び、支持体７０に一連ビード７６が備えられていることの相乗作用により、抽出部基体５０における装置本体１からの突出部分に下向きの荷重が印加されても、支持体７０の前方側縦壁部７１の前傾を効果的に防止することができるので、下向きの耐荷重を一層補強することができる。
つまり、支持体７０の前向きリブ７５が外郭部材１０の段部１１２に受けられているので、前方側縦壁部７１の前傾を効果的に防止することができる。又、前方側縦壁部７１と後方側縦壁部７４とに架け渡し状に支持されている湯沸し部１３が梁的な役割を果たし、しかも、湯沸し部１３は比較的重量が重いので、前方側縦壁部７１の前傾を効果的に防止することができる。又、一連ビード７６により、張り出し部７２、前方側縦壁部７１、支持体底部７３夫々の耐撓み性が強くなり、支持体底部７３と前方側縦壁部７１との角部での前方側縦壁部７１の前傾に対する耐性、並びに、前方側縦壁部７１と張り出し部７２との角部での張り出し部７２の下向きの撓みに対する耐性が強くなるので、下向きの耐荷重を更に補強することができる。
以上説明したように、装置本体１の下向きの耐荷重性を向上して、飲料抽出機の耐久性を向上することができるのである。
【００６３】
次に、制御部の制御動作について、説明を加える。
制御部は、マイクロコンピュータにより構成され、操作部２５からの制御情報、並びに、湯温センサ及び流量センサ１７等のセンサ類の検出情報が入力されると共に、それら制御情報や検出情報の入力情報に基づいて、ポンプ１２、湯沸し部１３の電気ヒータ１５等の作動を制御するように構成されている。
【００６４】
図示を省略するが、操作部２５には、コーヒーメーカの作動を可能にするための電源スイッチ、水充填運転を指令する水充填スイッチ、コーヒーの抽出運転を指令する抽出スイッチ等が備えられている。又、スライド部材６７が係合位置に位置する（即ち、蓋ロック機構Ｌがロック状態に切り換えられる）のに伴ってオンし、係合位置から前進する（即ち、蓋ロック機構Ｌが解除状態に切り換えられる）のに伴ってオフするマイクロスイッチが設けられている。
水充填運転は、湯沸し部１３の加熱容器１４に水を満たす運転であり、このコーヒーメーカを初めて使用するとき等に実行する。又、抽出運転は、コーヒーカップ一杯分に相当する量のコーヒーを抽出する運転である。
予め、抽出運転においてポンプ１２により湯を送出する抽出用目標送出量及び湯沸し部１３にて水を加熱する目標加熱温度、並びに、水充填運転においてポンプ１２により水を送出する充填用目標送出量が設定され、それら抽出用目標送出量、目標加熱温度及び充填用目標送出量が制御部のメモリー（図示省略）に記憶されている。ちなみに、この実施形態では、抽出用目標送出量は、例えば、１３０ｃｃに設定され、目標加熱温度は、８５〜９３℃の範囲（例えば、８９℃）に設定されている。又、充填用目標送出量は、タンク８の出口から圧力弁１９に至る送液路６中に満たされる湯水の容量よりも多少多い量に設定される。
【００６５】
制御部は、マイクロスイッチがオンになっている状態で水充填スイッチが押されると、ポンプ１２の作動を開始して水充填運転を開始し、以降、流量センサ１７にて検出される流量を積算して、その積算流量が充填用目標送出量に達すると、ポンプ１２の作動を停止して水充填運転を終了する。
【００６６】
制御部は、マイクロスイッチがオンの状態で、抽出スイッチが押されると、抽出運転を開始し、マイクロスイッチがオフの状態では、抽出スイッチが押されても抽出運転を開始しないように構成されている。尚、抽出運転は、湯沸し部１３の加熱容器１４に水が満たされていることが前提として行われる。例えば、初めて抽出運転を行うときは、その前に、水充填運転を実行することになる。
制御部は、マイクロスイッチがオンになっている状態で抽出スイッチが押されると、電気ヒータ１５を作動させて抽出運転を開始し、その抽出運転では、湯温センサの検出温度が目標加熱温度に達すると、電気ヒータ１５の作動を停止すると共にポンプ１２の作動を開始し、以降、流量センサ１７にて検出される流量を積算して、その積算流量が抽出用目標送出量に達すると、ポンプ１２の作動を停止して抽出運転を終了する。
【００６７】
〔別実施形態〕
（Ａ）支持体７０に一体的に備える張り出し部７２の具体的な形態は、上記の実施形態において採用した前後方向に長い細長板状の如き形態に限定されるものではなく、例えば、左右方向及び前後方向に延びる平板状や、四角枠状でも良い。
【００６８】
（Ｂ）前方側縦壁部７１から前方に突出する前向き突出部の具体的な形態は、上記の実施形態において採用した前向きリブ７５の如き形態、即ち、鉛直方向に延びるリブ状の形態に限定されるものではなく、例えば、棒状に突出する形態や、水平方向に延びるリブ状の形態でも良い。ちなみに、棒状に突出する形態や水平方向に延びるリブ状の形態の前向き突出部は、前方側縦壁部７１の下方側に設ける。
又、前向き突出部として、上記の実施形態の前向きリブ７５を採用する場合、前向きリブ７５の設置数は、上記の実施形態の一対に限定されるものではなく、１本でも良く、３本以上でも良い。
前向き突出部を受けることが可能な受け部の具体的な形態は、上記の実施形態において採用した段部１１２の如き形態、即ち、直方体形状の台状に限定されるものではなく、例えば、上面が水平方向に沿うリブ状でも良い。又、前向き突出部が水平方向に延びるリブ状の形態の場合、受け部の形態は棒状に突出する形態とし、その棒状の受け部を複数左右方向に並べて設けても良い。
又、受け部を形成する箇所は、上記の実施形態において例示した前壁部１１０に限定されるものではない。例えば、支持体７０の前向き突出部の下端を収納空間底部１２０の上面に当接させて、収納空間底部１２０において前向き突出部の下端が当接する部分を受け部としても良く、あるいは、受け部を、台部９０に上方に突起する状態で形成すると共に、収納空間底部１２０に受け部を挿通させる孔を形成しても良い。
【００６９】
（Ｃ）支持体７０に一体的に備える後方側縦部材の具体的な形態は、上記の実施形態において採用した後方側縦壁部７４の如き形態、即ち、上下及び左右方向に沿う壁状の形態に限定されるものではなく、例えば、柱状でも良い。ちなみに、後方側縦部材を柱状に形成する場合、複数本の柱状の後方側縦部材を支持体７０に一体的に備えるのが好ましい。
又、支持体７０に、後方側縦部材を備えなくても良い。
【００７０】
（Ｄ）上記の実施形態では、支持体７０に、一連ビード７６を、張り出し部７２、前方側縦壁部７１、支持体底部７３、後方側縦壁部７４にわたって一連に連なって延びるように備えたが、張り出し部７２、前方側縦壁部７１、支持体底部７３にわたって一連に連なって延びるように備えても良い。
【００７１】
（Ｅ）圧力弁１９として、上記の実施形態では、設定吐出圧力がプレーンコーヒーの抽出に好適な圧力に設定されたものを用いたが、例えば、設定吐出圧力がエスプレッソコーヒーを抽出するのに好適な圧力に設定されたものを用いても良い。又、設定吐出圧力を変更設定可能な圧力弁１９を用いても良いし、設定吐出圧力が異なる複数の圧力弁１９を付け替え可能に構成しても良い。
又、圧力弁１９を省略しても良い。
【００７２】
（Ｆ）上記の実施形態では、操作部２５に水充填スイッチと抽出スイッチとを別々に設けたが、水充填スイッチを省略しても良い。この場合、例えば、飲料抽出機の出荷後、初めて電源スイッチが押されるのに次いで、抽出スイッチが初めて押されたときに水充填運転を実行し、以降、抽出スイッチが押されると抽出運転を実行するように構成する。つまり、水充填運転を１回実行すると、以降の抽出運転時には、湯沸し部１３の加熱容器１４には水が満たされているので、水充填運転は、飲料抽出機を初めて使用するときに１回だけ実行するように構成することもできる。
【００７３】
（Ｇ）上記の実施形態では、コーヒー粉Ｑをフィルターペーパに詰めたカフェポッドＭをポッドホルダＨに載置する構成としたが、コーヒー粉ＱをそのままポッドホルダＨに載置する構成としても良い。あるいは、カフェポッドＭをポッドホルダＨに載置する使用形態と、コーヒー粉ＱをそのままポッドホルダＨに載置する使用形態の両方が可能な構成としても良い。
【００７４】
（Ｈ）上記の実施形態では、コーヒーを抽出するコーヒーメーカに本発明を適用する場合について説明したが、本発明を適用可能な飲料抽出機の具体例は、コーヒーメーカに限定されるものではなく、紅茶を抽出するもの等、種々の飲料抽出機が挙げられる。
【００７５】
尚、上記の実施形態（別実施形態を含む、以下同じ）で開示される構成は、矛盾が生じない限り、他の実施形態で開示される構成と組み合わせて適用することが可能であり、又、本明細書において開示された実施形態は例示であって、本発明の実施形態はこれに限定されず、本発明の目的を逸脱しない範囲内で適宜改変することが可能である。
【産業上の利用可能性】
【００７６】
以上説明したように、本体の下向きの耐荷重性を向上して、耐久性を向上し得る飲料抽出機を提供することができる。
【符号の説明】
【００７７】
１      装置本体（本体）
３      抽出室
４      上方側開口部
５      蓋体
７      加熱送液部
１０    外郭部材（収納空間形成部材）
１１    収納空間
１３    湯沸し部（液体加熱部）
２７    滑り止め部材
５０    抽出部基体（基体、外郭部材）
５３    窪み部
７０    支持体
７１    前方側縦壁部（縦壁部）
７２    張り出し部
７３    支持体底部
７４    後方側縦壁部（後方側縦部材）
７５    前向きリブ（前向き突出部）
７６    一連ビード（溝状補強部）
８０    後方側囲い部材（外郭部材）
８１    側壁部
１００  前方側囲い部材（外郭部材）
１１０  前壁部（前方側囲い部材）
１１２  段部（受け部）
１２０  収納空間底部（収納空間形成部材の底部、前方側囲い部材）
【図１】
2014050470.tif 000003
【図２】
2014050470.tif 000004
【図３】
2014050470.tif 000005
【図４】
2014050470.tif 000006
【図５】
2014050470.tif 000007
【図６】
2014050470.tif 000008
【図７】
2014050470.tif 000009
【図８】
2014050470.tif 000010
【図９】
2014050470.tif 000011
【図１０】
2014050470.tif 000012
【図１１】
2014050470.tif 000013
【図１２】
2014050470.tif 000014